(57)【要約】      （修正有）【課題】キャップ時における容体の密閉を確実に行うことができ、しかもキャップ時に容体側のカバーのキャラクタとキャップ側のカバーのキャラクタの向きが互いに一致し、ずれないようにする。【解決手段】容体８にピン案内用のガイド溝１４が形成され、このガイド溝１４に挿入可能に、キャップ用筒体２０にピン１８が突設されている。容体８にはキャラクタ形状の容体カバー１０が固設され、キャップ用筒体２０にはキャラクタ形状のキャップカバー１２が固設されている。ピンがガイド溝１４の下位水平ガイド部に案内されるとキャップ用筒体に配置されたパッキング材が容体８の円筒部８ａの上端に圧接する。キャップ時、容体カバー１０とキャップカバー１２のキャラクタの向きが一致するようにガイド溝１４の終端が設定されている。【選択図】図１
0003107504.tif 000002
【実用新案登録請求の範囲】
【請求項１】
容体８の円筒部８ａにキャップ用筒体２０を被せ、キャップ用筒体２０に設けたパッキング材２２を前記円筒部８ａの上端に圧着して前記キャップ用筒体２０により前記容体８を密閉するようにした水筒において、下方向ガイド部１４ａと斜め下方向ガイド部１４ｂと下位水平ガイド部１４ｃとからなり前記円筒部８ａの外周面に形成されたピン案内用のガイド溝１４と、前記ガイド溝に挿入可能に前記キャップ用筒体２０の内周面に突設されたピン１８と、前記キャップ用筒体２０の上部壁に形成された弁口２６と、前記弁口２６を開閉するための前記キャップ用筒体２０の上部壁に支承された弁体３２と、前記弁体３２に連結し前記弁口２６が開いたとき前記容体８内と連通する管状体３０からなる飲み口２８と、前記容体８に嵌合し該容体８に取り付けられたキャラクタ形状の容体カバー１０と、前記キャップ用筒体２０に嵌合し該キャップ用筒体２０に取り付けられたキャラクタ形状のキャップカバー１２とを備え、前記ピン１８が前記ガイド溝１４の下位水平ガイド部１４ｃに案内されると前記パッキング材２２が前記容体８の円筒部８ａの上端に圧接するようにし、キャップ時、前記容体カバー１０とキャップカバー１２のキャラクタの向きが一致するように前記ガイド溝１４を設定したことを特徴とする水筒。
【請求項２】
前記ガイド溝１４の挿入端から終端までを前記円筒部８ａの外周面に、円周方向に略９０度の範囲に亘って形成したことを特徴とする請求項１に記載の水筒。
【請求項３】
前記ガイド溝１４は、前記円筒部８ａに複数形成され、該ガイド溝１４に対応して前記ピン１８が複数設けられていることを特徴とする請求項１に記載の水筒。  
【考案の詳細な説明】
【技術分野】
【０００１】
本考案は水筒に関し、更に特定すれば、キャラクタ形状のカバーがキャップ側と容体側とに設けられた見た目に楽しい携帯に便利な水筒に関する。
【背景技術】
【０００２】
水筒体がキャラクタ形状をなした合成樹脂体で構成される収納ケース付きの水筒が従来知られている（例えば特許文献１参照）。
【特許文献１】実用新案登録第３０８４９４５号公報
【考案の開示】
【考案が解決しようとする課題】
【０００３】
従来のキャラクタ形状をした水筒は、キャップ部分は通常のキャップ形状のままである。そのため、水筒の全体形状が完全なキャラクタ形状となっていないので、キャップの存在に違和感が生じている。
本発明の主たる目的は、キャップを含めた全体をキャラクタ形状に形成して、見た目では水筒とわからないようになし、しかも、キャップ時に、容体側のキャラクタ形状とキャップ側のキャラクタ形状の向きが一致するようにすることである。
【課題を解決するための手段】
【０００４】
上記目的を達成するため本考案は、容体８の円筒部８ａにキャップ用筒体２０を被せ、キャップ用筒体２０に設けたパッキング材２２を前記円筒部８ａの上端に圧着して前記キャップ用筒体２０により前記容体８を密閉するようにした水筒において、下方向ガイド部１４ａと斜め下方向ガイド部１４ｂと下位水平ガイド部１４ｃとからなり前記円筒部８ａの外周面に形成されたピン案内用のガイド溝１４と、前記ガイド溝に挿入可能に前記キャップ用筒体２０の内周面に突設されたピン１８と、前記キャップ用筒体２０の上部壁に形成された弁口２６と、前記弁口２６を開閉するための前記キャップ用筒体２０の上部壁に支承された弁体３２と、前記弁体３２に連結し前記弁口２６が開いたとき前記容体８内と連通する管状体３０からなる飲み口２８と、前記容体８に嵌合し該容体８に取り付けられたキャラクタ形状の容体カバー１０と、前記キャップ用筒体２０に嵌合し該キャップ用筒体２０に取り付けられたキャラクタ形状のキャップカバー１２とを備え、前記ピン１８が前記ガイド溝１４の下位水平ガイド部１４ｃに案内されると前記パッキング材２２が前記容体８の円筒部８ａの上端に圧接するようにし、キャップ時、前記容体カバー１０とキャップカバー１２のキャラクタの向きが一致するように前記ガイド溝１４を設定したものである。
また本考案は、前記ガイド溝１４の挿入端から終端までを前記円筒部８ａの外周面に、円周方向に略９０度の範囲に亘って形成したものである。
また本考案は、前記ガイド溝１４は、前記円筒部８ａに複数形成され、該ガイド溝１４に対応して前記ピン１８が複数設けられているものである。
【考案の効果】
【０００５】
本考案は、キャップ時、キャップ側のピンが、容体側のガイド溝に案内されるため、キャップ側に形成されたキャラクタと容体に形成されたキャラクタの向きが一致しずれることがない。また、キャップ時、キャップ側のピンがガイド溝に案内されて押し下げられるので、キャップ側のパッキング材が容体側の円筒部の上端に圧接し、容体内から飲料が漏れるのを確実に防止することができる。
【考案を実施するための最良の形態】
【０００６】
以下に本考案の実施の形態を添付した図面を参照して詳細に説明する。
図１において、符号２は、本考案にかかる水筒を示し、容体本体４と、キャップ本体６とから成り、全体がプラスチック、合成樹脂その他の同効材により構成されている。容器本体４は、容体８とキャラクタ形状の容体カバー１０とからなり、これらは一体的に結合している。容体カバー１０は、任意のキャラクタの形状に形成され、後述するキャップ本体６のキャラクタ形状のキャップカバー１２と結合して、全体として１つのキャラクタ形状を構成する。
【０００７】
前記容体カバー１０の上端には、盤体１０ａが一体的に形成され、該盤体１０ａに形成された穴に前記容体８上部の円筒部８ａの大径部が嵌合している。前記盤体１０ａの穴の周囲の上面は、キャップ受け面１０ｂを形成している。前記円筒部８ａの小径部の周壁には、一対の互いに円周方向に１８０度の間隔を存した、互いに対称なガイド溝１４，１４が形成されている。
【０００８】
前記ガイド溝１４，１４は図２に示すように、下方向ガイド部１４ａと、斜め下方向ガイド部１４ｂと、下位水平ガイド部１４ｃとが連続的に、円周方向に略９０度の範囲に亘って形成されている。前記ガイド溝１４の終端の近傍には、係合突起１６が形成され、上端には、後述するキャップ本体側のピン１８を下方向ガイド１４ａ内に案内するための拡径部１４ｄが形成されている。
【０００９】
次にキャップ本体６について説明する。
図５において、２０は筒体であり、管璧２０ａと、筒体の上部を塞ぐ上部壁２０ｂとからなる。該筒体２０には、結合片を介してキャラクタの一部の形状を有するキャップカバー１２が一体的に固設されている。該キャップカバー１２の底部は開放され、その周囲にリング状に座面１２ａが形成されている。管璧２０ａの内周面には、円周方向に略１８０度の間隔を存して、一対のピン１８が突設されている。
【００１０】
前記筒体２０の上部壁２０ｂの底面の外周部には、リング状にゴムその他の同効材からなるパッキング材２２が脱着可能に係止されている。前記上部壁２０ｂの中央部には、わん状の凹入部２４が形成され、該凹入部２４の内部は、該凹入部２４下部中央に形成された弁口２６を通して、筒体２０の内部と連通している。２８は飲み口であり、管状部３０と、これに一体的に形成された、半球面形状の弁体３２とからなり、前記上部壁２０ｂの上面に形成された凹部３４の両側面に軸３６を中心として、回転自在に枢支されている。
【００１１】
前記弁体３２には、開口部３８が形成され、該開口部３８は、前記管状部３０の中空部と連通している。前記弁体３２は、飲み口２８の管状体３０を、前記凹部３４内に倒した状態において、図５に示すように、弁口２６を塞ぎ、管状体３０を、図６に示すように、起立させると、弁口２６を開き、筒体２０の内部と管状体３０の中空部とを連通させる構成となっている。
【００１２】
前記上部壁２０ｂには、筒体２０内部と外部とを連通する空気穴４０が形成され、該空気穴４０は、通常は、管状体３０に突設された栓体４２により塞がれ、飲み口２８を起こしたときのみ、開放されるように構成されている。
次に本実施形態の作用について説明する。
【００１３】
容器本体４にキャップ本体６を取り付ける場合には、まず、キャップ本体６と容器本体４にそれぞれ設けた目印（図示省略）を参照して、キャップ本体６を容器本体４に対して所定の方向に向けた状態で、筒体２０を押し下げ、円筒部８ａに挿入する。このとき、筒体２０の一対のピン１８が対応する円筒部８ａ側のガイド溝１４の下方向ガイド部１４ａに挿入される。
【００１４】
次にキャップ本体６を、該キャップ本体６のキャラクタの正面が容器本体４のキャラクタの正面と一致する方向に、手操作により回転させると、ピン１８は、ガイド溝１４に案内されて移動し、キャップ本体６は、回りながら下降し、パッキング材２２が円筒部８ａの上端に圧接するとともに、キャップ本体６側の底面１２ａが、キャップ受け面１０ｂに当接する。
【００１５】
またピン１８は、ガイド溝１４の終端に達すると、係合突起１６を乗り越え、ピン１８は、ガイド溝１４の終端位置に安定的に係止される。該状態において、上部のキャップ側のキャラクタの正面と下部の容器本体側のキャラクタの正面とが正確に一致して結合する。円筒部８ａの上端がパッキング材２２に圧着することで、水筒２の容体８内は密閉される。
【００１６】
容体８内の飲料を飲むときは、飲み口２８を起こす。これにより、弁口２６と管状体３０の中空部は連通し、管状体３０から容体８内の飲料を飲むことができる。飲料の補充等のため、キャップ本体６を容器本体４から取り外す場合には、キャップ本体６を係合突起１６によるピン１８に対する係止力に抗して、逆方向に回転させる。
【図面の簡単な説明】
【００１７】
【図１】本考案に係る水筒の全体説明図である。
【図２】ガイド溝の説明図である。
【図３】容体の上端面を示す説明図である。
【図４】キャップ本体の平面図である。
【図５】Ａ−Ａ線断面図である。
【図６】飲み口を起こした状態のＡ−Ａ線断面図である。
【符号の説明】
【００１８】
２      水筒
４      容器本体
６      キャップ本体
８      容体
１０    容体カバー
１２    キャップカバー
１４    ガイド溝
１６    係合突起
１８    ピン
２０    筒体
２２    パッキング材
２４    凹入部
２６    弁口
２８    飲み口
３０    管状体
３２    弁体
３４    凹部
３６    軸
３８    開口部
４０    空気穴
４２    栓体
【図１】
0003107504.tif 000003
【図２】
0003107504.tif 000004
【図３】
0003107504.tif 000005
【図４】
0003107504.tif 000006
【図５】
0003107504.tif 000007
【図６】
0003107504.tif 000008